Podtech/llm-jp-corpus-v4-ja_patent huggingface dataset:
【手続補正書】
【提出日】平成19年10月5日(2007.10.5)
【手続補正１】
【補正対象書類名】特許請求の範囲
【補正対象項目名】全文
【補正方法】変更
【補正の内容】
【特許請求の範囲】
【請求項１】
３wt％以上のフュームドアルミナ粒子を含むソフトフォーカス化粧品用組成物。
【請求項２】
化粧品用組成物が５wt％以上のフュームドアルミナ粒子を含む請求項１記載のソフト
フォーカス化粧品用組成物。
【請求項３】
フュームドアルミナ粒子が５０ｎｍ以上の平均一次凝集体粒径（数による）を有する
請求項１記載のソフトフォーカス化粧品用組成物。
【請求項４】
フュームドアルミナ粒子の７０ｗｔ％以上が３００ｎｍ以下の平均一次凝集体粒径を
有する請求項３記載のソフトフォーカス化粧品用組成物。
【請求項５】
フュームドアルミナ粒子が３０μｍ以下の平均二次凝集体粒径（数による）を有する
請求項１記載のソフトフォーカス化粧品用組成物。
【請求項６】
フュームドアルミナ粒子の７０ｗｔ％以上が３０μｍ以下の平均二次凝集体粒径を有
する請求項１記載のソフトフォーカス化粧品用組成物。
【請求項７】
フュームドアルミナ粒子が３０％以上のδ＊−相およびθ−相結晶アルミナ含量を有
する請求項１記載のソフトフォーカス化粧品用組成物。
【請求項８】
さらに抗にきび剤を含む請求項１記載のソフトフォーカス化粧品用組成物。
【請求項９】
化粧品用組成物を３wt％以上のフュームドアルミナ粒子と一緒にすることを含む、化
粧品用組成物のソフトフォーカス効果を高める方法。
【請求項１０】
化粧品用組成物を肌に塗布することを含み、そして化粧品用組成物は３wt％以上のフ
ュームドアルミナ粒子を含む、肌の欠陥を隠す方法。
【手続補正書】
【提出日】平成19年5月7日(2007.5.7)
【手続補正１】
【補正対象書類名】特許請求の範囲
【補正対象項目名】全文
【補正方法】変更
【補正の内容】
【特許請求の範囲】
【請求項１】
（ａ）スルホキソニウム、ヨードニウム、スルホニウム、セレノニウム、ピリジニウム、カルボニウムおよびホスホニウムから選択された有機オニウムカチオンと、
（ｂ）式：
-Ｏ3Ｓ−Ｒf−Ｚ
（式中、Ｒfが、場合によりカテナリーのＳまたはＮを含有する、過フッ素化二価アルキレン部分、シクロアルキレン部分またはそれらの組合せであり、Ｚが−ＳＯ3-または−ＣＯ2-である）
のアニオンを含むイオン性光酸発生剤。
【請求項２】
前記スルホニウムカチオンが、スルホキソニウム、トリアリールスルホニウム、ジアルキルアリールスルホニウム、ジアリールアルキルスルホニウム、またはトリアルキルスルホニウムカチオンである、請求項１に記載のイオン性光酸発生剤。
【請求項３】
式：
Ａ−Ｏ3Ｓ−Ｒf−ＳＯ3−Ｂ（ＩＩ）
（式中、Ｒfが、場合によりカテナリーのＳまたはＮを含有する、過フッ素化二価アルキレン部分、シクロアルキレン部分またはそれらの組合せであり、Ａが、化学線に露光した時に遊離過フッ素化スルホン酸部分を生じる、共有結合した有機基であり、ＢがＡまたは有機オニウムカチオンである）の、請求項１または２に記載のイオン性光酸発生剤。
【請求項４】
シアノ置換オキシムスルホネートエステル、Ｎ−ヒドロキシイミドスルホネートエステル、ニトロベンジルスルホネートエステル、フェニルスルホネートエステル、およびα−ヒドロキシスルホニルオキシケトンからなる群から選択される、請求項３に記載のイオン性光酸発生剤。
【請求項５】
ｉ）請求項１〜４のいずれかに記載のイオン性光酸発生剤と、
ｉｉ）レジストポリマーと
を含む、フォトレジスト組成物。
【請求項６】
前記レジストポリマーが、酸に暴露した時に開裂する酸不安定性官能基を含有するポジ型レジストポリマー、または架橋可能な官能基を有するネガ型レジストポリマーである、請求項５に記載のフォトレジスト組成物。
【請求項７】
１）請求項１〜４のいずれかに記載のイオン性光酸発生剤と、
２）カチオン重合性モノマー、エチレン性不飽和フリーラジカル重合性モノマー、または酸触媒による逐次重合によって重合可能な多官能性または多反応性モノマー、またはこれらの重合機構の任意の組合せによって重合可能な多官能性または多反応性モノマー、およびそれらの混合物の少なくとも１つを含む１つ以上のモノマーと
を含む硬化性組成物。
【手続補正書】
【提出日】平成19年9月19日(2007.9.19)
【手続補正１】
【補正対象書類名】特許請求の範囲
【補正対象項目名】全文
【補正方法】変更
【補正の内容】
【特許請求の範囲】
【請求項１】
下記式の対称的骨格構造を有する水溶性フォトルミネセンス化合物。
【化１】
2007507576.tif 000001
（式中、ｘは任意の整数を表すことができ、フェニル環は置換されていてもよい。）
【請求項２】
ｘが３である請求項１記載のフォトルミネセンス化合物。
【請求項３】
置換されていない、請求項１又は請求項２記載のフォトルミネセンス化合物。
【請求項４】
一方又は両方のフェニル環が、５位で、アルキル基又はハロゲン基によって置換されている、請求項１又は請求項２記載のフォトルミネセンス化合物。
【請求項５】
２，４−ビス（１−（プロパン−３−スルホン酸）−３，３−ジメチル−２−インドリニリデンメチル）シクロブテンジイリウム−１，３−ジオラートである、請求項１から４のいずれか１項記載のフォトルミネセンス化合物。
【請求項６】
前記スルホン酸の全ての金属塩若しくは第四級窒素塩から選ばれる、請求項１から４のいずれか１項記載のフォトルミネセンス化合物。
【請求項７】
前記スルホン酸のアンモニウム、モノ−、ジ−又はトリアルキルアンモニウム、ピリジニウム塩から選ばれる、請求項１から４のいずれか１項記載のフォトルミネセンス化合物。
【請求項８】
１×１０-10〜１モル／リットルの濃度で水に溶けた状態の、下記一般式の対称的骨格構造を有するフォトルミネセンス化合物を含むタンパク質検出剤。
【化２】
2007507576.tif 000002
（式中、ｘは任意の整数を表すことができ、フェニル環は置換されていてもよい。）
【請求項９】
（ａ）下記一般式の対称的骨格構造を有するフォトルミネセンス化合物を、１×１０-10〜１モル／リットルの濃度で水に溶けた状態に溶解させる工程、
【化３】
2007507576.tif 000003
（式中、ｘは任意の整数を表すことができ、フェニル環は置換されていてもよい）
（ｂ）工程（ａ）の溶液を試験流体サンプルと混合する工程、
（ｃ）そのサンプルの蛍光を測定する工程、及び
（ｄ）この蛍光を、標準値と比較して全溶解タンパク質含有量についての値を得る工程、
を含む流体サンプルの全溶解タンパク質含有量の測定方法。
【請求項１０】
ドデシル硫酸ナトリウム（ＳＤＳ）の存在下又は不存在下で、水性メタノール及び酢酸を含む水／有機／酸混合物中に固定された支持マトリックス中で電気泳動的に分離されたタンパク質の検出及び／又は定量方法であって、このマトリックスを、続いて、１×１０-10から１モル／リットルの濃度で１０％メタノール水溶液又は酢酸水溶液に溶けた状態の、下記一般式の対称的骨格構造を有するフォトルミネセンス化合物を用いて、染色し、バンドを可視化するために脱色する方法。
【化４】
2007507576.tif 000004
（式中、ｘは任意の整数を表すことができ、フェニル環は置換されていてもよい。）
【請求項１１】
支持マトリックスが、ポリアクリルアミド、アガロース又はデンプンである、請求項１０記載の方法。
【手続補正書】
【提出日】平成19年8月15日(2007.8.15)
【手続補正１】
【補正対象書類名】特許請求の範囲
【補正対象項目名】全文
【補正方法】変更
【補正の内容】
【特許請求の範囲】
【請求項１】
アジピン酸溶液を固液分離することにより得られ、かつアジピン酸と水とを含む含水固体アジピン酸から、水の少なくとも一部を除去して熱乾燥アジピン酸を生成する方法であって、
前記方法は、第１のステージで開始されてから最終ステージで停止されるまでの一連のステージにおいて、含水固体アジピン酸と、アジピン酸または水に反応しないガスとを接触させることを含み、第１のステージにおいては含水固体アジピン酸とガスとを７０〜１１０℃の温度範囲で接触させることによって含水固体アジピン酸を乾燥させて、部分乾燥固体アジピン酸を得、当該第１のステージの後の少なくとも１つのステージにおいては前記部分乾燥固体アジピン酸とガスとを１００〜１５０℃の温度範囲で接触させ、第１のステージにおける温度は前記第１のステージの後の前記いずれのステージにおける温度よりも低く、これによって微粒子の形成が最小限に抑えられることを特徴とする方法。
【手続補正２】
【補正対象書類名】明細書
【補正対象項目名】０００５
【補正方法】変更
【補正の内容】
【０００５】
本発明は、アジピン酸溶液を固液分離することにより得られ、かつアジピン酸と水とを含む含水固体アジピン酸から、水の少なくとも一部を除去して熱無水アジピン酸を生成する方法であって、
前記方法は、第１のステージで開始されてから最終ステージで停止されるまでの一連のステージにおいて、含水固体アジピン酸と、アジピン酸または水に反応しないガスとを接触させることを含み、第１のステージにおいては含水固体アジピン酸とガスとを７０〜１１０℃の温度範囲で接触させることによって含水固体アジピン酸を乾燥させて、部分乾燥固体アジピン酸を得、当該第１のステージの後の少なくとも１つのステージにおいては部分乾燥固体アジピン酸とガスとを１００〜１５０℃の温度範囲で接触させ、第１のステージにおける温度は前記第１のステージの後の前記いずれのステージにおける温度よりも低い方法である。
このような方法においては、以下の（１）〜（８）の事項が望ましい。
（１）５〜５０℃の温度範囲で、上記熱乾燥アジピン酸とアジピン酸または水に反応しないガスとを接触させて、当該熱乾燥アジピン酸を冷却することを含むこと
（２）上記ガスが、空気、窒素、過熱蒸気およびこれらのガスの少なくとも２種よりなる混合物からなる群から、各ステージに対して独立して選択されること
（３）１つまたは複数のステージにおいて、熱が熱交換面を介して供給されること
（４）部分乾燥固体アジピン酸は３重量％未満の水を含むこと
（５）部分乾燥固体アジピン酸は１重量％未満の水を含むこと
（６）冷却ガスが、空気または窒素であること
（７）第１のステージおよび最終ステージが、一つの容器内における隔離された隔室であること
（８）  第１のステージにおいて層乾燥機が用いられ、並びに最終ステージにおいて流動床乾燥機が用いられること
【手続補正書】
【提出日】平成19年9月20日(2007.9.20)
【手続補正１】
【補正対象書類名】特許請求の範囲
【補正対象項目名】全文
【補正方法】変更
【補正の内容】
【特許請求の範囲】
【請求項１】
式：
【化１】
2007507505.tif 000001
［式中、
X は、（環状）脂肪族的に結合したアミノ基を含み、60〜6000 の数平均分子量を有し、イソシアネート基に対して反応性であるか又は 100 ℃までの温度でイソシアネート基に対して不活性である更なる官能基を含んでもよいモノ又はポリアミンから、1 級アミノ基を除去することによって得られた m 価の有機基を表し、
R1 及び R2 は、同じか又は異なっていてもよく、水素、又は 100 ℃以下の温度でイソシアネート基に対して不活性である有機基を表し、
R3 及び R4 は、同じか又は異なっていてもよく、100 ℃以下の温度でイソシアネート基に対して不活性である有機基を表し、
R5 は、水素を表すか、又は R5' 及びそれらと結合している炭素原子と共に 6 員シクロアルキル基を形成し、前記シクロアルキル基は、1〜3 個の炭素原子を含む 0〜3 個のアルキル基で置換されており、
R5' は、i）酸素原子で中断されていてもよい C1〜C8 アルキル基、ii）1〜3 個の炭素原子を含む 3 個までのアルキル基で置換されていてもよい C6〜C10 アリール基、及び iii）1〜3 個の炭素原子を含む 3 個までのアルキル基で置換されていてもよい C6〜C12 シクロアルキル基からなる群から選ばれる基を表し、
R6 は、水素を表すか、又は R6' 及びそれらと結合している炭素原子と共に 6 員シクロアルキル基を形成し、前記シクロアルキル基は、1〜3 個の炭素原子を含む 0〜3 個のアルキル基で置換されており、
R6' は、i）酸素原子で中断されていてもよい C1〜C8 アルキル基、ii）1〜3 個の炭素原子を含む 3 個までのアルキル基で置換されていてもよい C6〜C10 アリール基、及び iii）1〜3 個の炭素原子を含む 3 個までのアルキル基で置換されていてもよい C6〜C12 シクロアルキル基からなる群から選ばれる基を表し、
R5 及び R6 は同じであり、R5' 及び R6' は同じであり、
a 及び b は 1〜5 の整数を表し、a と b の合計は 2〜6 である。］
に相当するアスパルテート。
【請求項２】
式：
【化２】
2007507505.tif 000002
［式中、
X は、（環状）脂肪族的に結合したアミノ基を含み、60〜6000 の数平均分子量を有し、イソシアネート基に対して反応性であるか又は 100 ℃までの温度でイソシアネート基に対して不活性である更なる官能基を含んでもよいモノ又はポリアミンから、1 級アミノ基を除去することによって得られた m 価の有機基を表し、
R1 及び R2 は、同じか又は異なっていてもよく、水素、又は 100 ℃以下の温度でイソシアネート基に対して不活性である有機基を表し、
R3 及び R4 は、同じか又は異なっていてもよく、100 ℃以下の温度でイソシアネート基に対して不活性である有機基を表し、
R5 は、水素を表すか、又は R5' 及びそれらと結合している炭素原子と共に 6 員シクロアルキル基を形成し、前記シクロアルキル基は、1〜3 個の炭素原子を含む 0〜3 個のアルキル基で置換されており、
R5' は、i）酸素原子で中断されていてもよい C1〜C8 アルキル基、ii）1〜3 個の炭素原子を含む 3 個までのアルキル基で置換されていてもよい C6〜C10 アリール基、及び iii）1〜3 個の炭素原子を含む 3 個までのアルキル基で置換されていてもよい C6〜C12 シクロアルキル基からなる群から選ばれる基を表し、
R6 は、水素を表すか、又は R6' 及びそれらと結合している炭素原子と共に 6 員シクロアルキル基を形成し、前記シクロアルキル基は、1〜3 個の炭素原子を含む 0〜3 個のアルキル基で置換されており、
R6' は、i）酸素原子で中断されていてもよい C1〜C8 アルキル基、ii）1〜3 個の炭素原子を含む 3 個までのアルキル基で置換されていてもよい C6〜C10 アリール基、及び iii）1〜3 個の炭素原子を含む 3 個までのアルキル基で置換されていてもよい C6〜C12 シクロアルキル基からなる群から選ばれる基を表し、
R5 及び R6 は同じであり、R5' 及び R6' は同じであり、
a 及び b は 1〜5 の整数を表し、a と b の合計は 2〜6 である。］
に相当するアスパルテートの製造方法であって、
A）0〜100 ℃の温度で、溶液中又は溶媒不存在下、
a）式（II）：
X[-NH2]m        （II）
に相当するモノ又はポリアミンと
b）式（III）：
R3OOC-C(R1)=C(R2)-COOR4        （III）
に相当する化合物
［式中、X、R1、R2、R3 及び R4 は、上記で定義したとおりであり、m は 2〜6 の整数を表す。］
とを、約 1.1：1〜約 3.0：1 の成分 a）中の 1 級アミノ基と成分 b）中の C=C 二重結合との当量比で反応させる工程、及び
B）得られた生成物を、アルキレンオキシド、シクロアルキレンオキシド及びグリシジルエーテルからなる群から選ばれるオキシラン化合物と反応させる工程
を含む方法。
【請求項３】
バインダーとして、
a）ポリイソシアネート成分、及び
b）b1）請求項１に記載のアスパルテート、
b2）任意に他のイソシアネート反応性成分
を含有するイソシアネート反応性成分
を含んでなり、イソシアネート基のイソシアネート反応性基に対する当量比が約 0.8：1〜約 2.0：1 である 2 成分被覆組成物。
【請求項４】
ポリイソシアネートと請求項１に記載のアスパルテートとの反応生成物を含有する、ウレア、ウレタン、アロファネート及び／又はビウレット構造を含むプレポリマー。
【手続補正書】
【提出日】平成19年8月15日(2007.8.15)
【手続補正１】
【補正対象書類名】特許請求の範囲
【補正対象項目名】全文
【補正方法】変更
【補正の内容】
【特許請求の範囲】
【請求項１】
（ａ）ヘキサフルオロプロピレンダイマー、および
（ｂ）炭化水素またはヒドロフルオロカーボン
を含む共沸様組成物であって、
前記組成物が
（ｉ）２〜９９重量％のヘキサフルオロプロピレンダイマーおよび１〜９８重量％のシクロペンタンから本質的になる約７６０トルで４７℃未満で沸騰する組成物、
（ｉｉ）１〜９０重量％のヘキサフルオロプロピレンダイマーおよび１０〜９９重量％のイソペンタンから本質的になる約７６０トルで２７．５℃未満で沸騰する組成物、および
（ｉｉｉ）１〜９０重量％のヘキサフルオロプロピレンダイマーおよび１０〜９９重量％の１，１，１，３，３−ペンタフルオロブタンから本質的になる約７６０トルで４０℃未満で沸騰する組成物
からなる群から選択される共沸様組成物。
【請求項２】
（ａ）ヘキサフルオロプロピレンダイマー、および
（ｂ）炭化水素またはヒドロフルオロカーボン
を含む共沸様組成物であって、
前記組成物が
（ｉ）５〜９８重量％のヘキサフルオロプロピレンダイマーおよび２〜９５重量％のシクロペンタンから本質的になる約７６０トルで４４℃未満で沸騰する組成物、
（ｉｉ）５〜８８重量％のヘキサフルオロプロピレンダイマーおよび１２〜９５重量％のイソペンタンから本質的になる約７６０トルで２７℃未満で沸騰する組成物、および
（ｉｉｉ）５〜８７重量％のヘキサフルオロプロピレンダイマーおよび９５〜１３重量％の１，１，１，３，３−ペンタフルオロブタンから本質的になる約７６０トルで３９℃未満で沸騰する組成物
からなる群から選択される、請求項１に記載の共沸様組成物。
【請求項３】
（ａ）ヘキサフルオロプロピレンダイマー、および
（ｂ）炭化水素またはヒドロフルオロカーボン
から本質的になる共沸様組成物であって、
前記組成物が
（ｉ）１２〜９６重量％のヘキサフルオロプロピレンダイマーおよび４〜８８重量％のシクロペンタンから本質的になる約７６０トルで４０℃未満で沸騰する組成物、
（ｉｉ）１１〜８５重量％のヘキサフルオロプロピレンダイマーおよび１５〜８９重量％のイソペンタンから本質的になる約７６０トルで２６℃未満で沸騰する組成物、および
（ｉｉｉ）１０〜８４重量％のヘキサフルオロプロピレンダイマーおよび１６〜９０重量％の１，１，１，３，３−ペンタフルオロブタンから本質的になる約７６０トルで３８℃未満で沸騰する組成物
からなる群から選択される、請求項１に記載の共沸様組成物。
【請求項４】
（ａ）ヘキサフルオロプロピレンダイマー、および
（ｂ）炭化水素またはヒドロフルオロカーボン
から本質的になる共沸様組成物であって、
前記組成物が
（ｉ）７７．４重量％のヘキサフルオロプロピレンダイマーおよび２２．６重量％のシクロペンタンから本質的になる約７２９トルで３２℃で沸騰する組成物、
（ｉｉ）６７．５重量％のヘキサフルオロプロピレンダイマーおよび３２．５重量％のｎ−ペンタンから本質的になる約７３１トルで２７℃で沸騰する組成物、
（ｉｉｉ）５８．６重量％のヘキサフルオロプロピレンダイマーおよび４１．４重量％のイソペンタンから本質的になる約７３５トルで２２℃で沸騰する組成物、および
（ｉｖ）５４．４重量％のヘキサフルオロプロピレンダイマーおよび４５．６重量％の１，１，１，３，３−ペンタフルオロブタンから本質的になる約７３０トルで３４℃で沸騰する組成物
からなる群から選択される、共沸様組成物。
【請求項５】
高分子発泡体を調製する方法であって、少なくとも１種の発泡性ポリマーまたは少なくとも１種の発泡性ポリマーの前駆体の存在下で請求項１〜３のいずれか１項に記載のヘキサフルオロプロピレンダイマーおよび炭化水素またはヒドロフルオロカーボンを含む共沸様組成物を蒸発させる工程を含む方法。
【請求項６】
前記発泡性ポリマーの前記前駆体は（ａ）１種以上のポリオールおよび１種以上のポリイソシアネート、又は、（ｂ）１種以上のフェノールおよび１種以上のアルデヒドを含む、請求項５に記載の方法。
【請求項７】
前記発泡性ポリマーまたは少なくとも１種の発泡性ポリマーの前記前駆体の存在下で前記共沸様組成物を蒸発させる前に溶液として前記共沸様組成物を形成する工程を更に含む、請求項５に記載の方法。
【請求項８】
請求項５に記載の方法によって調製される高分子発泡体。
【請求項９】
高分子発泡体を調製する方法であって、少なくとも１種の発泡性ポリマーまたは少なくとも１種の発泡性ポリマーの前駆体の存在下で請求項４に記載のヘキサフルオロプロピレンダイマーおよび炭化水素またはヒドロフルオロカーボンを含む共沸組成物を蒸発させる工程を含む方法。
【手続補正書】
【提出日】平成19年5月11日(2007.5.11)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2007507567.tif 000001
（式中、
ｘは１乃至５０の数を表し、
Ａは式（ＩＩ）
【化２】
2007507567.tif 000002
で表される基を表すか、
又はTに対して与えられた意味のうち一つを有し、
Ｄは炭素数４乃至１２のアルキレン基、又はＯＨにて置換された若しくはＯにて中断された若しくはＯＨにて置換され且つＯにて中断された前記アルキレン基を表し、
Ｌは炭素数１乃至１８のアルキレン基、炭素数５乃至１２のシクロアルキレン基、炭素数３乃至１８のアルケニレン基、又は、フェニル基、炭素数７乃至１１のアルキルフェニル基、炭素数５乃至１２のシクロアルキル基、ＯＨ、ハロゲン、炭素数１乃至１８のアルコキシ基、炭素数５乃至１２のシクロアルコキシ基、炭素数３乃至１８のアルケニルオキシ基、ＣＯＯＨによって置換された前記残基の一種を表し、
Ｒ1は、Ｒ1又はＲ13の少なくとも一方がＯＨであるという条件において、互いに独立してＨ、ＯＲ7又はＯＨを表し、
Ｒ7は互いに独立して水素原子、炭素数１乃至１２のアルキル基又は式−Ｌ−ＣＯ−Ｏ−
Ｒ9の基を表し、
Ｒ9はＨ、炭素数１乃至１８のアルキル基、炭素数２乃至１２のヒドロキシアルキル基を
表し、
Ｒ10は水素原子、炭素数１乃至４のアルキル基、Ｃｌ、フェニル基又はＯＲ7基を表し、
Ｒ11は水素原子又はメチル基を表し、
Ｒ13は水素原子、メチル基、ＯＨ、又はＯＲ7を表し、及び
Ｔは炭素原子数１３乃至６０の脂肪族又は脂環式ジカルボン酸の二価のアシル残基を表す。）
で表され、そして前記（Ｉ）は少なくとも一つの式（ＩＩ）の部分及び少なくとも一つのＴ部分を含むオリゴエステル又はポリエステル。
【請求項２】
Ｄは炭素数４乃至１２のアルキレン基又はＯにて中断された炭素数４乃至１０のアルキレン基を表し、
Ｌは炭素数１乃至４のアルキレン基を表し、
Ｔは二価のアシル残基ＣＯ−Ｔ’−ＣＯ（式中、Ｔ’は炭素数２０乃至５０のアルキレン基又は一つ以上の酸素原子にて中断された炭素数２０乃至５０のアルキレン基、又は炭素数５乃至１２のシクロアルキレン基又は炭素数５乃至１２のシクロアルケニレン基にて中断され、それぞれ非置換又はアルキル基にて置換されているアルキレン基を表す。）を表し、そしてＴ’は全部で２０乃至５０の炭素原子を含み、
Ｒ7は水素原子又はメチル基を表し、
Ｒ10は水素原子、メチル基、又はＯＲ7基を表し、
Ｒ11は水素原子を表し、
Ｒ13は水素原子、ＯＨ、又はメチル基を表す、
請求項１に記載のオリゴエステル又はポリエステル。
【請求項３】
式（ＩＩＩ）
【化３】
2007507567.tif 000003
（式中、
ｘは１乃至２０の数を表し、
数ｙは少なくとも１を表し、（ｘ＋ｚ−１）乃至（ｘ＋ｚ＋１）の範囲に及び、
ｚは１乃至２０の数を表し、
Ｒ8は水素原子、炭素数１乃至１２のアルキル基、炭素数５乃至１２のシクロアルキル基
、炭素数２乃至１２のアルケニル基、フェニル基、炭素数７乃至１１のアルキルフェニル基、
フェニル基、ＯＨ、ハロゲンにて置換された炭素数１乃至１２のアルキル基、炭素数１乃至１８のアルコキシ基、炭素数５乃至１２のシクロアルコキシ基、炭素数３乃至１８のア
ルケニルオキシ基又はＣＯＯＨを表し、特に水素原子又は炭素数１乃至４のアルキル基を表し、
Ｒ12は水素原子又は炭素数１乃至１のアルキル基を表し、
Ｒ18は水素原子又は炭素数１乃至４のアルキル基を表し、
Ｄは炭素数４乃至８のアルキレン基、又はＯにて中断された炭素数４乃至１０のアルキレン基を表し、そして、
Ｔ’は炭素数２０乃至５０のアルキレン基、又は一つ以上の酸素原子にて中断された炭素数２０乃至５０のアルキレン基、又は、
それぞれ非置換又はアルキル基で置換された炭素数５乃至１２のシクロアルキレン基又は炭素数５乃至１２のシクロアルケニレン基にて中断されたアルキレン基を表し、
同時にＴ’は全部で２０乃至５０の炭素原子を含み、
その他全ての記号は請求項１に記載の式Ｉに定義された通りである。）
と一致することを特徴とする、請求項１に記載のオリゴエステル又はポリエステル。
【請求項４】
式（Ｖ）
【化４】
2007507567.tif 000004
で表されるトリス−アリール−トリアジン及びＲ12−Ｏ−ＯＣ−Ｔ’−ＣＯ−Ｏ−Ｒ12で表される化合物と式ＨＯ−Ｄ−ＯＨで表されるジオール（上記各式中、ＹはＣＯを表し、その他全ての記号は請求項２に記載の式（ＩＩＩ）に定義される通りである。）との反応によって得られる、オリゴエステル及びポリエステル。
【請求項５】
（ａ）有機ポリマー材料、及び、
（ｂ）請求項１に記載の式（Ｉ）で表されるオリゴエステル又はポリエステルの少なくとも一種又はそれらの混合物、
からなる、紫外線透過に対して保護された組成物。
【請求項６】
透明プラスチック容器又はフィルム又は多層フィルムであることを特徴とする、請求項５に記載の組成物。
【請求項７】
フェノール性抗酸化剤、立体障害性アミン、さらなるＵＶ吸収剤、ホスフィット及びホスホナイト、高級脂肪酸のアルカリ金属塩及びアルカリ土類金属塩、充填剤、金属酸化物、ヒドロタルサイト、酸素捕捉剤、アセトアルデヒド捕捉剤、可塑剤、清澄剤、滑剤、乳化剤、顔料、レオロジー添加剤、触媒、流量調整剤、加工助剤、蛍光増白剤、防炎加工剤、帯電防止剤及び発泡剤から選択されるさらなる成分を含むことを特徴とする、請求項５に記載の組成物。
【請求項８】
透明プラスチック容器又はフィルム及びその内容物を紫外線の悪影響に対して保護する方法であって、請求項１に記載のオリゴエステル又はポリエステルを前記プラスチック容器又はフィルムに配合することからなる方法。
【請求項９】
食品が請求項６に記載の透明プラスチック容器又はフィルム又は多層フィルムに、特に透明シート又はフィルムからなる包装材又は容器に密封され、かつ該包装材はさらに酸素捕捉剤を含むことを特徴とする、包装食品の光酸化を防ぐ方法。
【請求項１０】
食品が、プラスチック材料からできた透明シート又はフィルムからなる包装材又は容器に密封され、該プラスチック材料は、ヒドロキシフェニル−ｓ−トリアジン、２−（２’−ヒドロキシフェニル）ベンゾトリアゾール、２−ヒドロキシベンゾフェノン、及びそれらの混合物から選択されるＵＶ吸収剤を含み、かつ、該包装材はさらに酸素捕捉剤を含むことを特徴とする、包装食品の光酸化を防ぐ方法。
【手続補正書】
【提出日】平成19年9月21日(2007.9.21)
【手続補正１】
【補正対象書類名】特許請求の範囲
【補正対象項目名】全文
【補正方法】変更
【補正の内容】
【特許請求の範囲】
【請求項１】
下記の化合物からなる群から選択される化合物の香料としての使用：
（１Ｒ，ｃｉｓ）−１−エトキシメトキシメチル−３−イソプロピル−１−メチルシクロペンタン、２−［（１Ｒ，ｃｉｓ）−３−イソプロピル−１−メチルシクロペンチル］プロパン−２−オール、２−［（１Ｓ，ｃｉｓ）−３−イソプロピル−１−メチルシクロペンチル］プロパン−２−オール、２−［（１Ｒ，ｃｉｓ）−３−イソプロピル−１−メチルシクロペンチル］ブタン−２−オール、２−［（１Ｓ，ｃｉｓ）−３−イソプロピル−１−メチルシクロペンチル］ブタン−２−オール、２−［（１Ｒ，ｃｉｓ）−３−イソプロピル−１−メチルシクロペンチル］ペンタ−３−エン−２−オール、および式Ｉ
【化１】
2007507563.tif 000001
式中、
Ｒ１は水素であるか、または
Ｒ１およびＲ２は独立してＣ２−８アルキル、Ｃ２−８アルケニル、Ｃ３−８シクロアルキル、Ｃ３−８シクロアルキルであって少なくとも１つのＣ１−３アルキルによって置換されたもの、アリール、またはアリール基であって少なくとも１つのＣ１−３アルキル基によって置換されたものであり；
Ｒ３はヒドロキシ、Ｃ１−８アルコキシ、Ｃ３−８シクロアルコキシ、Ｃ２−５アルコキシメチルオキシ、アリールオキシ、またはアリールオキシであり、式中、芳香環はＣ１−３アルキルによって置換され；または
Ｒ２およびＲ３はこれらの基が結合している炭素原子と一緒にカルボニル基を形成する、で表される化合物。
【請求項２】
式Ｉで表される化合物が、式Ｉａまたは式Ｉｂで表される光学異性体のいずれかについて濃縮された、請求項１に記載の化合物の使用：
【化２】
2007507563.tif 000002
式中、Ｒ１、Ｒ２およびＲ３は請求項１において与えられた意味と同一の意味を有する。
【請求項３】
請求項１または２に記載の化合物またはそれらの混合物を含む、香料アプリケーション。
【請求項４】
下記の化合物からなる群から選択される化合物：
（１Ｒ，ｃｉｓ）−１−エトキシメトキシメチル−３−イソプロピル−１−メチルシクロペンタン、２−［（１Ｒ，ｃｉｓ）−３−イソプロピル−１−メチルシクロペンチル］プロパン−２−オール、２−［（１Ｓ，ｃｉｓ）−３−イソプロピル−１−メチルシクロペンチル］プロパン−２−オール、２−［（１Ｒ，ｃｉｓ）−３−イソプロピル−１−メチルシクロペンチル］ブタン−２−オール、２−［（１Ｓ，ｃｉｓ）−３−イソプロピル−１−メチルシクロペンチル］ブタン−２−オール、２−［（１Ｒ，ｃｉｓ）−３−イソプロピル−１−メチルシクロペンチル］ペンタ−３−エン−２−オール、および式Ｉ
【化３】
2007507563.tif 000003
式中、
Ｒ１は水素であるか、または
Ｒ１およびＲ２は独立してＣ２−８アルキル、Ｃ２−８アルケニル、Ｃ３−８シクロアルキル、Ｃ３−８シクロアルキルであって少なくとも１つのＣ１−３アルキルによって置換されたもの、アリール、またはアリール基であって少なくとも１つのＣ１−３アルキル基によって置換されたものであり；
Ｒ３はヒドロキシ、Ｃ１−８アルコキシ、Ｃ３−８シクロアルコキシ、Ｃ２−５アルコキシメチルオキシ、アリールオキシ、またはアリールオキシであり、式中、芳香環はＣ１−３アルキルによって置換され；または
Ｒ２およびＲ３はこれらの基が結合している炭素原子と一緒にカルボニル基を形成する。
ただし、Ｒ２およびＲ３はこれらの基が結合している炭素原子と一緒にカルボニル基を形成しているとき、Ｒ１は水素ではなくフェニルでもない、で表される化合物。
【手続補正書】
【提出日】平成19年9月4日(2007.9.4)
【手続補正１】
【補正対象書類名】特許請求の範囲
【補正対象項目名】全文
【補正方法】変更
【補正の内容】
【特許請求の範囲】
【請求項１】
基材の被覆あるいは含浸に好適な実質的にハロゲンを含まないエポキシ樹脂配合物であって、前記エポキシ樹脂がリンと反応され、そして前記配合物中に分散された、熱安定性を増大させる量の微粉砕されたベーマイトを有するエポキシ樹脂配合物。
【請求項２】
前記量がこの配合物中の他の成分を除いて１０〜５０ｐｈｒの範囲にある請求項１に記載の配合物。
【請求項３】
前記量がこの配合物中の他の成分を除いて３０〜５０ｐｈｒの範囲にある請求項１に記載の配合物。
【請求項４】
プレプレグを形成するのに好適な組成物であって、請求項１−３のいずれかに記載の配合物により含浸および／または被覆された繊維、フリース、織物、またはテキスタイル材料の形で無機あるいは有機の補強剤を含んでなる組成物。
【請求項５】
前記補強剤が織物またはテキスタイル材料の形のものである請求項４に記載の組成物。
【請求項６】
前記組成物がガラス繊維を含む織られた繊維マットまたは不織繊維マットの形のものである請求項４に記載の組成物。
【請求項７】
請求項４に記載の組成物から形成されるプレプレグ。
【請求項８】
請求項５に記載の組成物から形成されるプレプレグ。
【請求項９】
請求項６に記載の組成物から形成されるプレプレグ。
【請求項１０】
請求項５に記載の組成物から形成される複合材料。
【請求項１１】
請求項６に記載の組成物から形成されるプリント配線板。
【請求項１２】
請求項４に記載の組成物から形成される積層物。
【請求項１３】
増大した熱安定性を有するプレプレグを形成する方法であって、
Ａ）無機あるいは有機補強剤にリンと反応されたエポキシ含有配合物を塗布するか及び／又は無機あるいは有機補強剤をリンと反応されたエポキシ含有配合物により含浸し、この配合物は溶剤を含み、このような塗布および／または含浸前の前記補強剤は繊維、フリース、織物またはテキスタイル材料の形であり、前記配合物は熱安定性を増大させる量の微粉砕されたベーマイトをその中に分散させたものであり、それにより被覆あるいは含浸されたシート状基材を形成し；そして
Ｂ）この配合物から溶剤を取り除き、そして場合によってはこのエポキシ配合物を部分的に硬化させるのに充分な温度でＡ）において形成される基材を加熱して、容易に取り扱い可能なプレプレグがこのような含浸基材から形成される
ことを含んでなる方法。
【請求項１４】
増大した熱安定性を有する積層物を形成する方法であって、
Ａ）無機あるいは有機補強剤にリンと反応されたエポキシ含有配合物を塗布するか及び／又は無機あるいは有機補強剤をリンと反応されたエポキシ含有配合物により含浸し、この配合物は溶剤を含み、このような塗布および／または含浸前の前記補強剤は織られた繊維または不織繊維、フリース、織物またはテキスタイル材料の形であり、前記配合物は熱安定性を増大させる量の微粉砕されたベーマイトをその中に分散させたものであり、それにより被覆あるいは含浸されたシート状基材を形成し；
Ｂ）この配合物から溶剤を取り除き、そして場合によってはこのエポキシ配合物を部分的に硬化させるのに充分な温度でＡ）において形成される基材を加熱して、容易に取り扱い可能なシート状プレプレグがこのような含浸基材から形成され；
Ｃ）Ｂ）において形成される複数のシート状プレプレグを含む積み重ねを形成し；そして
Ｄ）この樹脂を硬化させ、積層物を形成するのに充分な時間、高い温度および圧力でＣ）において形成される積み重ねをプレスする
ことを含んでなる方法。
【請求項１５】
前記積み重ねが電導性材料の１つ以上のシートを更に含み、電気的積層物を形成する請求項１４に記載の方法。
【請求項１６】
電導性印刷回路が前記積層物に施される請求項１４に記載の方法。
【請求項１７】
前記熱安定性を増大させる量がこの配合物中の他の成分を除いて１０〜５０ｐｈｒの範囲にある請求項１３−１６のいずれかに記載の方法。
【請求項１８】
前記熱安定性を増大させる量がこの配合物中の他の成分を除いて３０〜５０ｐｈｒの範囲にある請求項１３−１６のいずれかに記載の方法。
【手続補正書】
【提出日】平成19年4月2日(2007.4.2)
【手続補正１】
【補正対象書類名】特許請求の範囲
【補正対象項目名】全文
【補正方法】変更
【補正の内容】
【特許請求の範囲】
【請求項１】
水、２０〜６０重量％の二酸化チタン、揮発性塩基、および色変化するｐＨ指示薬、を含む色変化する修正液。
【請求項２】
前記揮発性塩基は、トリエチルアミン（TEA）、２−アミノ−２−メチル−１−プロパノール（AMP）、ジメチルアミノプロピルアミン（DMAPA）、Ｎ，Ｎ−ジメチルエタノールアミン（DMEA）、アンモニアおよびそれらの混合物からなる群から選択される請求項１の色変化する修正液。
【請求項３】
前記色変化するｐＨ指示薬は、フェノールフタレイン、チモールフタレイン、ｐ−ナフトールベンゼイン、４−ニトロフェノール、３−ニトロフェノール、ｏ−クレゾールフタレイン、ｍ−クレゾールレッド、チモールブルー、ｍ−クレゾールパープルおよびそれらの混合物からなる群から選択される請求項１の色変化する修正液。
【請求項４】
さらに皮膜形成性ポリマーを含む請求項１の色変化する修正液。
【請求項５】
前記皮膜形成性ポリマーは、スチレンアクリルラテックス、アクリルラテックス、酢酸ビニルエチレンラテックスおよびそれらの混合物からなる群から選択される請求項４の色変化する修正液。
【請求項６】
さらに造膜助剤を含む請求項５の色変化する修正液。
【請求項７】
前記造膜助剤は、ジプロピレングリコールジベンゾエート、イソデシルベンゾエート、ジトリデシルフタレート、グリコールエーテルおよびそれらの混合物からなる群から選択される請求項６の色変化する修正液。
【請求項８】
さらに体質顔料を含む請求項１の色変化する修正液。
【請求項９】
前記体質顔料は、ケイ酸アルミニウム、炭酸カルシウム、ケイ酸マグネシウム、ケイ酸カルシウム、ケイ酸アルミニウムカリウムおよびそれらの混合物からなる群から選択される請求項８の色変化する修正液。
【請求項１０】
水、２０〜６０重量％の二酸化チタン、揮発性酸、および色変化するｐＨ指示薬を含む色変化する修正液。
【請求項１１】
前記揮発性酸は、酢酸、ギ酸およびそれらの混合物からなる群から選択される請求項１０の色変化する修正液。
【請求項１２】
前記色変化するｐＨ指示薬は、ペンタメトキシレッド、メチルレッド、メチルイエロー、フェノールフタレイン、チモールフタレイン、ｐ−ナフトールベンゼイン、４−ニトロフェノール、３−ニトロフェノール、ｏ−クレゾールフタレイン、ｍ−クレゾールレッド、チモールブルー、ｍ−クレゾールパープルおよびそれらの混合物からなる群から選択される請求項１０の色変化する修正液。
【請求項１３】
さらに皮膜形成性ポリマーを含む請求項１０の色変化する修正液。
【請求項１４】
前記皮膜形成性ポリマーは、スチレンアクリレート、スチレンアクリル、アクリル、酢酸ビニルエチレンポリマー、塩化ビニリデンおよびそれらの混合物からなる群から選択される請求項１３の色変化する修正液。
【請求項１５】
さらに造膜助剤を含む請求項１４の色変化する修正液。
【請求項１６】
前記造膜助剤は、ジプロピレングリコールジベンゾエート、イソデシルベンゾエート、ジトリデシルフタレート、グリコールエーテルおよびその混合物からなる群から選択される請求項１５の色変化する修正液。
【請求項１７】
さらに体質顔料を含む請求項１０の色変化する修正液。
【請求項１８】
前記体質顔料は、ケイ酸アルミニウム、炭酸カルシウム、ケイ酸マグネシウム、ケイ酸カルシウム、ケイ酸アルミニウムカリウムおよびそれらの混合物からなる群から選択される請求項１７の色変化する修正液。
【請求項１９】
誤記した部分を、水、２０〜６０重量％の二酸化チタン、揮発性塩基、および色変化するｐＨ指示薬を含む色変化する修正液の塗布膜で覆い、
揮発性塩基および水を蒸発させることによって、修正液の色変化するｐＨ指示薬が、修正液が乾燥するにつれて色変化する、
ことからなる素地上の誤記を修正する方法。
【請求項２０】
前記素地は白色であり、前記色変化する修正液は、乾燥後は白色であるが液体時は非白色（有色）である請求項１９の方法。
【請求項２１】
誤記した部分を、水、２０〜６０重量％の二酸化チタン、揮発性塩基、および色変化するｐＨ指示薬を含む修正液の塗布膜で覆い、
揮発性酸および水を蒸発させることによって、修正液の色変化するｐＨ指示薬が、修正液が乾燥するにつれて色変化する、
ことからなる素地上の誤記を修正する方法。
【請求項２２】
前記素地は白色であり、前記色変化する修正液は、乾燥後は白色であるが液体時は非白色（有色）である請求項２１の方法。
【請求項２３】
水、２０〜６０重量％の二酸化チタン、揮発性塩基又は揮発性の酸、および色変化するｐＨ指示薬を含む色変化する液体。
【請求項２４】
前記揮発性塩基は、トリエチルアミン（ＴＥＡ）、２−アミノ−２−メチル−１−プロパノール（ＡＭＰ）、ジメチルアミノプロピルアミン（ＤＭＡＰＡ）、Ｎ，Ｎ−ジメチルエタノールアミン（ＤＭＥＡ）、アンモニアおよびそれらの混合物からなる群から選択される請求項２３の色変化する液体。
【手続補正書】
【提出日】平成19年9月26日(2007.9.26)
【手続補正１】
【補正対象書類名】特許請求の範囲
【補正対象項目名】全文
【補正方法】変更
【補正の内容】
【特許請求の範囲】
【請求項１】
カソードシート及びアノードシートを備え、前記シートの少なくとも１つには流体通過穴が設けられており、前記両シートは、少なくとも１つの波形導電要素を介して溶接又は冶金学的に接合されており、前記シートは冷却流体の通路部分を画定する、燃料電池積重ね体用の二極セパレータ。
【請求項２】
前記流体通過穴は、前記少なくとも１つのシートの１つ又は複数の周辺領域に配置された、ガス供給穴及び／又は排出穴である、請求項１に記載のセパレータ。
【請求項３】
前記流体通過穴は、前記冷却流体の流れを前記燃料電池に供給するための調整されたオリフィスを備える、請求項１又は２に記載のセパレータ。
【請求項４】
前記少なくとも１つの波形導電要素は、前記カソードシート及びアノードシートに、前記セパレータの全表面に沿って全体的に隣接しており、前記冷却流体の通路部分は、前記波形導電要素の表面によって画定されたチャネルを備える、請求項１から３のいずれか一項に記載のセパレータ。
【請求項５】
前記少なくとも１つの波形導電要素は、前記カソードシート及びアノードシートに、前記セパレータの１つ又は複数の周辺領域でのみ隣接している、請求項１から３のいずれか一項に記載のセパレータ。
【請求項６】
前記冷却流体の通路部分は、前記カソードシートと前記アノードシートの間に挿入された、少なくとも１つの網状要素を備える、請求項５に記載のセパレータ。
【請求項７】
前記少なくとも１つの網状要素は、電気伝導性であり、任意選択で金属要素である、請求項６に記載のセパレータ。
【請求項８】
前記少なくとも１つの導電網状要素は、金属発泡体、金属メッシュ、展伸シート及び焼結金属材料からなる群から選択される、請求項７に記載のセパレータ。
【請求項９】
前記アノードシート及び前記カソードシートの少なくとも一方は、前記波形導電要素がそれに溶接又は冶金学的に接合されている側と反対側に固定された、シールガスケットを備える、請求項１ないし８のいずれか一項に記載のセパレータ。
【請求項１０】
前記アノードシート及び前記カソードシートの少なくとも一方が、前記波形導電要素がそれに溶接又は冶金学的に接合されている側と反対側に溶接又は冶金学的に接合された、集電体を備える、請求項１ないし９のいずれか一項に記載のセパレータ。
【請求項１１】
前記集電体は、金属発泡体、金属メッシュ、展伸シート及び焼結金属材料からなる群から任意選択で選択される、導電網状要素である、請求項１０に記載のセパレータ。
【請求項１２】
請求項１ないし１１のいずれか一項の少なくとも１つのセパレータを備える、燃料電池積重ね体。
【請求項１３】
前記流体通過穴と連通する、少なくとも１つの供給ダクト又は排出ダクトを備える、請求項１２に記載の積重ね体。
【手続補正書】
【提出日】平成19年9月10日(2007.9.10)
【手続補正１】
【補正対象書類名】特許請求の範囲
【補正対象項目名】全文
【補正方法】変更
【補正の内容】
【特許請求の範囲】
【請求項１】
質量分析計の領域で使用するためのロッド電極であって、この電極は、誘電体の付着を受けるものであり、
前記電極は、荷電粒子に作用するための電場の等電位境界を提供する表面部を有しており、
前記表面部は比較的粗くされて、前記表面部への誘電体の付着を減じるための凸部及び凹部が提供されていることを特徴とするロッド電極。
【請求項２】
前記凸部が前記表面部の外側に向かってサイズが小さくなるような形状を有し、それによって、少なくとも１つの傾斜側面を有し、荷電粒子が角度を成して上記側面にあたる確率が高められていることを特徴とする請求項１に記載のロッド電極。
【請求項３】
前記表面部に、前記凸部及び前記凹部が周期的に又は規則的に現れることを特徴とする、請求項１又は２に記載のロッド電極。
【請求項４】
前記ロッドの前記表面部がねじ切りされており、それによって前記ロッドに沿ったねじ山の頂が前記凸部を提供し、前記ロッドに沿ったねじ山の谷底が前記凹部を提供することを特徴とする請求項３に記載のロッド電極。
【請求項５】
前記表面部に、前記凸部及び前記凹部が非周期的に又は不規則に現れることを特徴とする請求項１又は２に記載の電極。
【請求項６】
質量分析器と、
イオンを、前記質量分析器へと案内する四重極イオンガイドとを含む質量分析計であって、
前記四重極イオンガイドは、４つの電極のアセンブリを備えており、各電極が、請求項１乃至５のいずれかに記載の電極であることを特徴とする質量分析計。
【請求項７】
四重極質量分析器を含む質量分析計であって、
前記質量分析器は、４つの電極のアセンブリを備えており、各電極が、請求項１乃至５のいずれかに記載の電極であることを特徴とする質量分析計。
【請求項８】
各電極の前記表面部は、イオンが主に存在している、前記電極の間の空間に面している、湾曲した表面であることを特徴とする請求項６又は７に記載の質量分析計。
【手続補正書】
【提出日】平成19年9月18日(2007.9.18)
【手続補正１】
【補正対象書類名】特許請求の範囲
【補正対象項目名】全文
【補正方法】変更
【補正の内容】
【特許請求の範囲】
【請求項１】
基板と、
前記基板上に形成された行と列に整列される画素のマトリックスと、
少なくとも２セットの電極、即ち画素の行を接続するための第１のセット、および画素の列を接続するための第２のセットであって、前記第１および第２の電極セットの少なくとも１つのものが、第１の長さの電極延長部を持った第１のサブセットと、第２の、より短い長さの電極延長部を持った第２のサブセットとして挟み込まれるようにした電極と、
前記サブセットの電極延長部と垂直な方向で、また前記第２のサブセットの電極延長部との電気的接触状態で一様に延長された第１のコネクタと、
前記第１のサブセットの電極延長部と垂直な方向で、また前記第１のサブセットのみの電極延長部との電気的接触状態で一様に延長された第２のコネクタと、
前記第１のサブセットの前記電極延長部を前記第１のコネクタから電気的に分離する絶縁パッチのセットとを有し、前記コネクタと対応する前記延長部の部分を、前記基板周辺部を刻みとること、または延長部におけるギャップを刻みとることによって除去して、行と列に接続された延長部のその部分をコネクタと電気的接触状態のその部分から電気的に隔離するように、すべての前記コネクタを基板周囲部上に位置付けることを特徴とするエレクトロルミネセント・ディスプレイ（ＥＬＤ）。
【請求項２】
基板と、
前記基板上に形成された行と列に整列される画素のマトリックスと、
少なくとも２セットの電極、即ち画素の行を接続するための第１のセット、および画素の列を接続するための第２のセットであって、前記第１および第２の電極セットの少なくとも１つのものが、第１の長さの電極延長部を持った第１のサブセットと、前記第１の長さより短い第２の長さの電極延長部を持った第２のサブセットと、第１または第２の長さより短い第３の長さの電極延長部を持った第３のサブセットとして挟み込まれるようにした電極と、
前記サブセットの電極延長部と垂直な方向で、また前記第３のサブセットの電極延長部との電気的接触状態で一様に延長された第１のコネクタと、
前記第１および第２のサブセットの電極延長部と垂直な方向で、また前記第２のサブセットのみの電極延長部との電気的接触状態で一様に延長された第２のコネクタと、
前記第１のサブセットの電極延長部と垂直な方向で、また前記第１のサブセットのみの電極延長部との電気的接触状態で一様に延長された第３のコネクタと、
前記第１および第２のサブセットの前記電極延長部を前記第１のコネクタから電気的に分離する絶縁パッチの第１のセットと、
前記第１のサブセットの前記電極延長部を前記第２のコネクタから電気的に分離する絶縁パッチの第２のセットとを有し、前記コネクタと対応する前記延長部の部分を、前記基板周辺部を刻みとること、または延長部におけるギャップを刻みとることによって除去して、行と列に接続された延長部のその部分をコネクタと電気的接触状態のその部分から電気的に隔離するように、すべての前記コネクタを基板周囲部上に位置付けることを特徴とするエレクトロルミネセント・ディスプレイ（ＥＬＤ）。
【請求項３】
基板と、
前記基板上に形成された行と列に整列される画素のマトリックスと、
少なくとも２セットの電極、即ち画素の行を接続するための第１のセット、および画素の列を接続するための第２のセットであって、前記第１および第２の電極セットの少なくとも１つのものが、第１のセットの電極延長部を持った第１のサブセットと、前記第２のセットの電極延長部を持った第２のサブセットとして挟み込まれ、また前記第１および第２のセットの電極延長部が、対応する前記電極セットの反対端から延長されるようにした電極と、
前記第１のセットの電極延長部と垂直な方向で、またそれとの電気的接触状態で一様に延長された第１のコネクタと、
前記第２のセットの電極延長部と垂直な方向で、またそれとの電気的接触状態で一様に延長された第２のコネクタとを有し、前記コネクタと対応する前記延長部の部分を、前記基板周辺部を刻みとること、または延長部におけるギャップを刻みとることによって除去して、行と列に接続された延長部のその部分をコネクタと電気的接触状態のその部分から電気的に隔離するように、すべての前記コネクタを基板周囲部上に位置付けることを特徴とするエレクトロルミネセント・ディスプレイ（ＥＬＤ）。
【請求項４】
請求項１に記載のＥＬＤであって、前記ＥＬＤは、
(ｉ)    前記基板上に、すべての前記電極延長部と前記第１および第２の電極セットの前記１つのものを作る段階と、
(ｉｉ)  前記基板上に、厚膜誘電体の堆積によってすべての前記絶縁パッチを作る段階と、
(ｉｉｉ)前記基板上に、導電体の堆積によってすべての前記コネクタを作る段階と、
(ｉｖ)  前記基板上に、前記画素のマトリックスと前記第１および第２の電極セットの前記他のものを作る段階と、
を有する方法によって製造されたことを特徴とするＥＬＤ。
【請求項５】
請求項１に記載のＥＬＤであって、前記ＥＬＤは、
(ｉ)    前記基板上に、すべての前記電極延長部と前記第１および第２の電極セットの前記他のものを作る段階と、
(ｉｉ)  前記基板上に、厚膜誘電体の堆積によってすべての前記絶縁パッチを作る段階と、
(ｉｉｉ)前記基板上に、導電体の堆積によってすべての前記コネクタを作る段階と、
(ｉｖ)  前記基板上に、前記画素のマトリックスと前記第１および第２の電極セットの前記１つのものを作る段階と、
を有する方法によって製造されたことを特徴とするＥＬＤ。
【請求項６】
請求項１に記載のＥＬＤであって、前記ＥＬＤは、
(ｉ)    前記基板上に、導電体の堆積によってすべての前記コネクタを作り、前記基板上に、前記第１および第２の電極セットの他のものを作る段階と、
(ｉｉ)  前記基板上に、厚膜誘電体の堆積によってすべての前記絶縁パッチを作る段階と、
(ｉｉｉ)前記基板上に、すべての前記電極延長部を作る段階と、
(ｉｖ)  前記基板上に、前記画素のマトリックスと前記第１および第２の電極セットの前記１つのものを作る段階と、
を有する方法によって製造されたことを特徴とするＥＬＤ。